(57)【要約】      （修正有）【課題】誤挿入の相手プラグの押圧によっても破損しない端子を含む電気コネクタを提供する。【解決手段】本電気コネクタは相手プラグが挿入される。前記電気コネクタは、収納孔が形成される絶縁性本体と、前記絶縁性本体に収納され、基板と複数の導電端子２２とを含む端子モジュールと、を備える。各導電端子は、前記収納孔に収納され、相手プラグに押圧された後、弾力的に復元可能な接触部２２２と、基板２４に固着される主体部２２１と、接触部及び主体部の間に設けられる連接部２２３とを有する。前記主体部と連接部とは、変形空間において弾力的に変形して、復元している接触部に弾力を提供する。【選択図】図７
0003161166.tif 000002
【実用新案登録請求の範囲】
【請求項１】
相手プラグが挿入される電気コネクタにおいて、
収納孔が形成される絶縁性本体と、
前記絶縁性本体に収納され、基板と複数の導電端子とを含む端子モジュールと、を備え、
前記各導電端子は、前記収納孔に収納され、前記相手プラグに押圧された後、弾力的に復元可能な接触部と、前記基板に固着される主体部と、前記接触部及び主体部の間に設けられる連接部とを有し、前記主体部と連接部とは、変形空間において弾力的に変形して、復元している前記接触部に弾力を提供することを特徴とする電気コネクタ。
【請求項２】
前記導電端子の主体部には、弓形の弾力部と、前記弾力部の一端から前記連接部まで延在する第１延在部と、前記弾力部の他端から前記基板に固着される第２延在部とを備え、前記導電端子がＶ字状に形成され、前記接触部と前記弾力部とは、前記連接部に対して同じ側に配置され、前記弾力部が弾力的に変形して、復元している前記接触部に弾力を提供することを特徴とする請求項１に記載の電気コネクタ。
【請求項３】
前記基板には複数の半田接続孔が形成され、前記導電端子の第２延在部が基板の半田接続孔に半田接続されることを特徴とする請求項２に記載の電気コネクタ。
【請求項４】
前記導電端子が前記基板に対して垂直に固着され、前記導電端子の連接部と主体部とは、前記基板の上にキャンチレバー形態で配置されることを特徴とする請求項２に記載の電気コネクタ。
【請求項５】
前記端子モジュールが、上壁が設けられる支持部を有し、前記基板が前記支持部の底部に配置され、前記支持部が前記上壁と基板の間に形成される収納溝と、前記収納溝に貫通する開口部とを備え、前記導電端子の前記連接部が前記上壁の自由端に接近し、前記接触部が前記上壁の上に配置され、前記弾力部が前記開口部から前記収納溝に向かって折り曲げられることを特徴とする請求項４に記載の電気コネクタ。
【請求項６】
前記相手プラグが電気コネクタに挿入される場合、前記導電端子の連接部が前記支持部の上壁の自由端に向かって移動して前記上壁の自由端に当接し、前記相手プラグが電気コネクタから抜き出される場合、前記弾力部の弾力によって、前記連接部が前記上壁の自由端から離れることを特徴とする請求項５に記載の電気コネクタ。
【請求項７】
前記絶縁性本体には前記支持部の上壁の上に配置される内壁が設けられ、前記導電端子の接触部が前記収納孔に収納されて前記内壁に規制されることを特徴とする請求項４に記載の電気コネクタ。
【請求項８】
前記導電端子は中間導電端子と外側導電端子とを有し、前記相手プラグが第１相手プラグ或いは第２相手プラグであり、前記第１相手プラグが挿入される場合、前記外側導電端子の接触部が第１角度で折り曲げられ、前記第２相手プラグが挿入される場合、前記外側導電端子の接触部が前記第１角度より大きい第３角度で折り曲げられることを特徴とする請求項１に記載の電気コネクタ。
【考案の詳細な説明】
【技術分野】
【０００１】
本考案は、電気コネクタに関し、特に、異なる相手プラグが挿入可能なモジュールコネクタに関するものである。
【背景技術】
【０００２】
通常のモジュールコネクタは、八つの端子を含むＲＪ４５接続口、或いは四つ或いは六つの端子を含むＲＪ１１接続口で配置される。ＲＪ４５接続口がルーターや、コンピューターに使用され、ＲＪ１１接続口が電話線に使用される。日常生活においては、電話線のＲＪ１１のプラグが、コンピューターのＲＪ４５のソケットに誤挿入される。ＲＪ４５のソケットの各端子は、接触部と、半田接続部と、接触部と半田接続部とを連接する連接部とを有する。端子の連接部は、基板に当接する。
【先行技術文献】
【特許文献】
【０００３】
【特許文献１】米国特許第６，１９３，５６０号明細書
【考案の概要】
【考案が解決しようとする課題】
【０００４】
前記ＲＪ４５のソケットの八つの端子の中の両側の端子は、ＲＪ１１のプラグの押圧によって、異常に変形され、破損し易い。
【０００５】
そこで本考案は、上述される従来技術の問題に鑑み、誤挿入の相手プラグの押圧によっても破損しない端子を含む電気コネクタを提供することを目的とする。
【課題を解決するための手段】
【０００６】
前記目的を達成するために、本考案の電気コネクタは相手プラグが挿入される。前記電気コネクタは、収納孔が形成される絶縁性本体と、前記絶縁性本体に収納され、基板と複数の導電端子とを含む端子モジュールと、を備える。各導電端子は、前記収納孔に収納され、相手プラグに押圧された後、弾力的に復元可能な接触部と、基板に固着される主体部と、接触部及び主体部の間に設けられる連接部とを有する。前記主体部と連接部とは、変形空間において弾力的に変形して、復元している接触部に弾力を提供する。
【考案の効果】
【０００７】
従来技術と比べると、本考案は以下の長所を有する。従来技術の外側導電端子の接触部は、ＲＪ１１プラグが何度も誤挿入されることによって、過度に折り曲げられた後、破損する。本考案の外側導電端子の変形可能な主体部と連接部との弾性復元力が、接触部の復元力を補強することによって、接触部が速く復元される。外側導電端子の接触部は何度もＲＪ１１に押圧されても破損し難い。
【図面の簡単な説明】
【０００８】
【図１】本考案の電気コネクタの組立斜視図である。
【図２】図１に示す電気コネクタの分解斜視図である。
【図３】図１に示す電気コネクタの導電端子の斜視図である。
【図４】ＲＪ４５プラグが挿入される電気コネクタの組立斜視図である。
【図５】ＲＪ４５プラグが挿入される電気コネクタの組立斜視図である。
【図６】図５のＡ―Ａ線に沿った断面図である。
【図７】図５のＢ―Ｂ線に沿った断面図である。
【考案を実施するための形態】
【０００９】
図１及び図２を参照すると、電気コネクタ１００は、回路基板６００に半田接続されるＲＪ４５ソケットである。回路基板６００には複数の転換端子６１が配置される。
【００１０】
図１〜図５に示すように、電気コネクタ１００は、絶縁性本体１と、絶縁性本体１に収納される端子モジュール２と、絶縁性本体１を被覆する蓋体３とを備える。
【００１１】
絶縁性本体１は、前壁１２と、後壁１３と、一対の側壁１１とを備える。絶縁性本体１には、前壁１２と後壁１３と側壁１１とに包囲される収納孔１７が形成される。前壁１２には前開口１５が形成される。後壁１３には後開口１６が形成される。図６に示すように、絶縁性本体１には、傾斜する内壁１４が設けられる。
【００１２】
端子モジュール２は、基板２４と、基板２４に実装される支持部２１と、支持部２１に取り付けられる八つの導電端子２２と、を備える。支持部２１は、上壁２１１１と、上壁２１１１と基板２４の間に形成される収納溝２１１３が形成される。収納溝２１１３の前には、開口部２１１４が形成される。
【００１３】
八つの導電端子２２は、一対の外側導電端子２２ａと、一対の外側導電端子２２ａの間に配置される六つの中間導電端子２２ｂとを有する。図３に示すように、各導電端子２２は、実質的にＶ字状に形成される。図３に示すように、各導電端子２２は、主体部２２１と、傾斜する接触部２２２と、主体部２２１と接触部２２２とを連接する連接部２２３とを有する。導電端子２の主体部２２１は、中間に設けられる弓形の弾力部２２１１と、弾力部２２１１の一端から前記連接部２２３まで延在する第１延在部２２１３と、弾力部２２１１の他端から前記基板２４に固着される第２延在部２２１２とを有する。接触部２２２と弾力部２２１１とは、前記連接部２２３の右側に配置される。
【００１４】
図６及び図７に示すように、電気コネクタ１００を取り付ける場合、導電端子２２が基板２４に固着される。導電端子２２の第２延在部２２１２の末端が基板２４に形成される半田接続孔２４１に半田接続される。基板２４が支持部２１の底部に実装される。基板２４の磁気部材２４２が支持部２１の収納溝２１１３に収納される。導電端子２２の連接部２２３が支持部２１の上壁２１１１の自由端２１１５から所定の距離で離れる。導電端子２２の主体部２２１が、開口部２１１４に位置する。一体になる端子モジュール２が絶縁性本体１の収納孔１７に収納される。導電端子２２の接触部２２２の自由端が、支持部２１の内壁１４の下表面に当接する。上蓋体３１と下蓋体３２とは、絶縁性本体１を遮蔽する。上蓋体３１の窓口３１１が、絶縁性本体１の前開口１５と対応する。一体になる電気コネクタ１００は、転換端子６１を含む回路基板６００に垂直に取り付けられる。電気コネクタ１００は、転換端子６１が基板２４に挿入されることによって、回路基板６００に電気接続される。
【００１５】
図４に示すＲＪ４５プラグ４００が電気コネクタ１００に挿入される場合、導電端子２２の接触部２２２は、第１角度で折り曲げられる。
【００１６】
図５及び図６においては、ＲＪ１１プラグ５００が電気コネクタ１００に挿入された後の中間導電端子２２ｂの押圧状態が図示される。ＲＪ１１プラグ５００が誤挿入される場合、八つの導電端子２２の中の六つの中間端子２２ｂの接触部２２２は、ＲＪ１１プラグ５００の押圧によって、第２角度で折り曲げられる。第２角度が第１角度と実質的に同一である。中間導電端子２２ｂの接触部２２２は、ＲＪ１１プラグ５００の誤挿入によって、少し過度に折り曲げられる。
【００１７】
図５及び図７においては、ＲＪ１１プラグ５００が電気コネクタ１００に挿入された後の外側導電端子２２ａの押圧状態が図示される。誤挿入のＲＪ１１プラグ５００が挿入される場合、八つの導電端子２２の中の二つの外側導電端子２２ａの接触部２２２は、ＲＪ１１プラグ５００の押圧によって、第３角度で折り曲げられる。第３角度は、第１角度よりすごく大きい。外側導電端子２２ａの接触部２２２は、ＲＪ１１５００の誤挿入によって、異常に折り曲げられる。この過程で、外側導電端子２２ａと中間導電端子２２ｂの弾力部２２１１とは、弾力的に変形される。導電端子２２の連接部２２３は、前記上壁２１１１の前記開口部２１１４まで延在する自由端２１１５に向かって移動して自由端２１１５に当接する。
【００１８】
ＲＪ１１プラグ５００が電気コネクタ１００から抜き出される場合、導電端子２２の弾力部２２１１の弾性復元力によって、連接部２２３が上壁２１１１の自由端２１１５から離れる。導電端子２２の接触部２２２が、自身の弾力と弾力部２２１１の弾力によって元の位置まで復元される。その中で、外側導電端子２２ａの接触部２２２がＲＪ１１プラグ５００の押圧によって過度に折り曲げられる。従来技術においての、弾力部２２１１を含まない外側導電端子２２ａの接触部２２２は、何度も誤挿入されることによって、過度に折り曲げられた後、破損する。本実施形態においては外側導電端子２２aの弾力部２２１１の弾力が接触部２２２の復元力を補強することによって、接触部２２２が速く復元される。外側導電端子２２ａの接触部２２２は何度もＲＪ１１に押圧されても破損し難い。
【００１９】
他の実施形態において、導電端子２２の主体部２２１には弾力部２２１１が設けられていないとともに、主体部２２１と連接部２２３とは支持部２１の開口部２１１４にキャンチレバー形態で配置されて弾力的に変形できる。このような主体部２２１と連接部２２３とは、接触部２２２に復元弾力を提供する。接触部２２２が速く復元できる。このような導電端子２２は、弾力部２２１１を含む導電端子２２より、少ない復元弾力を受ける。
【００２０】
以上、本考案について好ましい実施形態を参照して詳細に説明したが、実施形態はあくまでも例示的なものであり、これらに限定されるものではない。また、本考案に基づき成し得る細部の修正或いは変更などは、いずれも本考案の技術的範囲に属するものである。
【符号の説明】
【００２１】
１００  電気コネクタ
１  絶縁性本体
１１  側壁
１２  前壁
１３  後壁
１４  内壁
１５  前開口
１６  後開口
１７  収納孔
２  端子モジュール
２１  支持部
２１１１  上壁
２１１３  収納溝
２１１４  開口部
２１１５  自由端
２２  導電端子
２２ａ  外側導電端子
２２ｂ  中間導電端子
２２１  主体部
２２１１  弾力部
２２１２  第２延在部
２２１３  第１延在部
２２２  接触部
２２３  連接部
２４  基板
２４１  半田接続孔
２４２  磁気部材
３  蓋体
３１  上蓋体
３１１  窓口
３２  下蓋体
４００  ＲＪ４５プラグ
５００  ＲＪ１１プラグ
６００  回路基板
６１  転換端子
【図１】
0003161166.tif 000003
【図２】
0003161166.tif 000004
【図３】
0003161166.tif 000005
【図４】
0003161166.tif 000006
【図５】
0003161166.tif 000007
【図６】
0003161166.tif 000008
【図７】
0003161166.tif 000009